(57)【要約】      （修正有）【課題】２枚刃の替え刃と３枚刃の替え刃とを選択的に取り付けて使用することが可能な安全かみそりのホルダーを提供する。【解決手段】第１装着部２ａは、基台部１１の上面から突出して第１の替え刃の一方の係合溝に係合する爪部２１と、頭部３において突出するように形成された小壁部２２の外側面に設けられ、第１の替え刃の他方の係合溝に係合する係合部２３とを有し、第２装着部２ｂは、第２の替え刃の係合アームの凹部に挿入可能に形成された小壁部２２と、基台部１１の上面のほぼ中央部から突出し、凹部に小壁部２２を挿入した状態で第２の替え刃の本体の一方の側縁部の中央が嵌まり込んで固定するための係止部３５とを有する。【選択図】図７
0003143703.tif 000002
【実用新案登録請求の範囲】
【請求項１】
頭部と柄部とが長手方向に延びる基線に沿って一体化され、替え刃をその刃体の長手方向が前記基線に沿うようにして取り付けるための装着部が前記頭部に設けられてなる安全かみそりのホルダーであって、
前記頭部は、
その中央部において前記基線に沿って延びる基台部を有し、
前記装着部には、
平面視が長方形状であってその底面部において長手方向に延びて互いに対向する２つの係合溝を有する第１の替え刃を装着するための第１装着部と、
平面視が長方形状であってその底面部において中央部に凹部を有した揺動可能な係合アームを有する第２の替え刃を装着するための第２装着部と、が設けられ、
前記第１装着部は、
前記基台部の上面から突出して前記第１の替え刃の一方の係合溝に係合する爪部と、
前記基台部の側面から離れた状態で前記頭部において突出するように形成された小壁部の外側面に設けられ、前記第１の替え刃の他方の係合溝に係合する係合部と、を有し、
前記第２装着部は、
前記第２の替え刃の前記係合アームの前記凹部に挿入可能に形成された前記小壁部と、
前記基台部の上面のほぼ中央部から突出し、前記凹部に前記小壁部を挿入した状態で前記第２の替え刃の本体の一方の側縁部の中央が嵌まり込んで固定するための係止部と、を有し、
前記第１の替え刃または前記第２の替え刃が前記第１装着部または前記第２装着部に選択的に装着可能なように構成されてなる、
ことを特徴とする安全かみそりのホルダー。
【請求項２】
前記爪部は、前記基台部の上面の２箇所に設けられている、
請求項１記載の安全かみそりのホルダー。
【請求項３】
前記係合部は、前記小壁部の外側面の上端部の近辺に前記基線と平行に設けられた長溝によって形成されている、
請求項１または２記載の安全かみそりのホルダー。
【請求項４】
前記係止部は、前記基線に垂直な面による断面がほぼＴ字形である、
請求項１ないし３のいずれかに記載の安全かみそりのホルダー。
【請求項５】
前記第１装着部および前記第２装着部は、それぞれ、前記基線に対して対称な状態となるように２つずつ設けられている、                                                  請求項１ないし４のいずれかに記載の安全かみそりのホルダー。
【考案の詳細な説明】
【技術分野】
【０００１】
本考案は、頭部と柄部とが長手方向に延びる基線に沿って一体化され、２種類の替え刃を選択的に装着可能なように構成された安全かみそりのホルダーに関する。
【背景技術】
【０００２】
従来において、頭部と柄部とが長手方向に延びる基線に沿って一体化され、頭部において基線の両側に配された装着面に替え刃を取り付けるための係合部材が設けられた形式の安全かみそりが、特開平５−１２３４６０号として提案されている（特許文献１参照）。
【０００３】
また、２種類の替え刃を選択的に装着可能な安全かみそりのホルダーを、本出願人は先に特許文献２として提案した。
【０００４】
なお、このような安全かみそりに用いられる替え刃は、長方形状のプラスチック製のケース内に１枚ないし３枚の刃体が装着され、ケースの裏面に取り付けのための係合溝や係合アームなどが設けられている。
【０００５】
例えば、２枚刃の替え刃として、シックスーパーＩＩ（シックジャパン株式会社）が市販され、３枚刃の替え刃として、シックトリプルエッジ（シックジャパン株式会社）、またはジレットマンハッタンスリー（ジレットジャパンインコーポレイテッド社）が市販されている（非特許文献１，２参照）。
【特許文献１】特開平５−１２３４６０
【特許文献２】特開２００４−２５４８４７
【非特許文献１】ｈｔｔｐ：／／ｗｗｗ．ｓｃｈｉｃｋ−ｊｐ．ｃｏｍ／ｍｅｎｓ／ｐｒｏｄｕｃｔｓ／ｃｏｍｐａｔｉｂｌｅ／ｔｒｉｐｌｅｅｄｇｅ. ｈｔｍｌ＞
【非特許文献２】ｈｔｔｐ：／／ｗｗｗ．ｇｉｌｌｅｔｔｅ−ｊｐ．ｃｏｍ／ｍｅｎ／ｍ３ｔ＿ｇｍ３．ｈｔｍｌ＞
【考案の開示】
【考案が解決しようとする課題】
【０００６】
しかし、従来において、平面視が長方形状であってその底面部において長手方向に延びて互いに対向する２つの係合溝を有する２枚刃の替え刃と、平面視が長方形状であってその底面部において中央部に凹部を有した揺動可能な係合アームを有する３枚刃の替え刃とを選択的に装着可能なように構成された安全かみそりのホルダーは存在しなかった。
【０００７】
そのため、それぞれの替え刃を専用のホルダーに取り付けて使用しなければならず、これら２つの替え刃を交換して使用したい者にとって不便な状態が続いていた。
【０００８】
本考案は、上述の問題に鑑みてなされたもので、２枚刃の替え刃と３枚刃の替え刃とを選択的に取り付けて使用することのできる安全かみそりのホルダーを提供することを目的とする。
【課題を解決するための手段】
【０００９】
本考案に係る実施形態の安全かみそりのホルダーは、頭部と柄部とが長手方向に延びる基線に沿って一体化され、替え刃をその刃体の長手方向が前記基線に沿うようにして取り付けるための装着部が前記頭部に設けられてなる安全かみそりのホルダーであって、前記頭部は、その中央部において前記基線に沿って延びる基台部を有し、前記装着部には、平面視が長方形状であってその底面部において長手方向に延びて互いに対向する２つの係合溝を有する第１の替え刃を装着するための第１装着部と、平面視が長方形状であってその底面部において中央部に凹部を有した揺動可能な係合アームを有する第２の替え刃を装着するための第２装着部と、が設けられ、前記第１装着部は、前記基台部の上面から突出して前記第１の替え刃の一方の係合溝に係合する爪部と、前記基台部の側面から離れた状態で前記頭部において突出するように形成された小壁部の外側面に設けられ、前記第１の替え刃の他方の係合溝に係合する係合部と、を有し、前記第２装着部は、前記第２の替え刃の前記係合アームの前記凹部に挿入可能に形成された前記小壁部と、前記基台部の上面のほぼ中央部から突出し、前記凹部に前記小壁部を挿入した状態で前記第２の替え刃の本体の一方の側縁部の中央が嵌まり込んで固定するための係止部と、を有し、前記第１の替え刃または前記第２の替え刃が前記第１装着部または前記第２装着部に選択的に装着可能なように構成されてなる。
【考案の効果】
【００１０】
本考案によると、２枚刃の替え刃と３枚刃の替え刃とを選択的に取り付けて使用することができる。
【考案を実施するための最良の形態】
【００１１】
図１は本考案にかかるホルダー１の全体の平面図、図２は頭部３を拡大して示す平面図、図３は頭部３を拡大して示す右側面図、図４はホルダー１を拡大して示す正面図、図５はホルダー１を拡大して示す背面図、図６はホルダー１の正面断面図、図７は頭部３の斜視図、図８は１つの第１の替え刃を装着した状態を示す正面断面図、図９は１つの第２の替え刃を装着した状態を示す正面断面図、図１０は第１の替え刃を装着するときの操作を説明するための図、図１１は第２の替え刃を装着するときの操作を説明するための図、図１２は２つの第１の替え刃を装着した状態を示す斜視図、図１３は２つの第２の替え刃を装着した状態を示す斜視図、図１４は第１の替え刃の平面図および右側面図、図１５は第２の替え刃の平面図および右側面図である。
【００１２】
これらの図において、ホルダー１は、頭部３、頭部３に設けられた装着部２、および柄部４からなる。頭部３と柄部４とは、長手方向に延びる基線ＫＳに沿って一体に形成される。
【００１３】
頭部３は、鋼材またはステンレス鋼などの金属材料を削りだすことにより製作される。頭部３には、その中央部において基線ＫＳに沿って延びる基台部１１が設けられている。
【００１４】
図６および図７によく示されるように、基台部１１は、その断面形状が縦長の長方形であり、全体の形状は、外周面が上面１１１、側面１１２，１１３、端面１１４などに囲まれた直方体状である。なお、端面１１４は、基台部１１の先端部の一部であり、底部に近い部分は斜めにカットされて斜面１１５を形成している。
【００１５】
装着部２には、第１の替え刃ＲＢ１を装着するための第１装着部２ａ、および第２の替え刃ＲＢ２を装着するための第２装着部２ｂが形成されている。
【００１６】
第１装着部２ａおよび第２装着部２ｂは、それぞれ、基線ＫＳに対して左右対称な状態となるように２つずつ設けられている。つまり、装着部２には、２つの第１の替え刃ＲＢ１、または２つの第２の替え刃ＲＢ２を装着することが可能であり、または、１つの第１の替え刃ＲＢ１と１つの第２の替え刃ＲＢ２とを同時に装着することが可能である。
【００１７】
２つの第１装着部２ａおよび２つの第２装着部２ｂについて、それらはそれぞれ基線ＫＳに対して対称な状態であるから、以下においては主としてそれぞれ１つのみについて説明する。
【００１８】
なお、図１４に示すように、第１の替え刃ＲＢ１は、平面視が長方形状であって、その底面部７２において、長手方向に延びて互いに対向する２つの係合溝７３ａ，７３ｂが設けられている。係合溝７３ａ，７３ｂのいずれか一方または両方を指して、「係合溝７３」と記載することがある。なお、本実施形態において、第１の替え刃ＲＢ１は、シックジャパン株式会社製またはウイルキンソン社製の２枚刃の替え刃である。
【００１９】
図１５に示すように、第２の替え刃ＲＢ２は、本体７６の平面視が長方形状であって、その底面部７９において、中央部に凹部７８を有した揺動可能な係合アーム７７が設けられている。係合アーム７７は、図１５（Ｂ）に示す状態が最も下方に揺動した状態であり、この状態から、図の矢印Ｍ３方向に揺動可能であり、図１５（Ａ）に示す状態が最も上方に揺動した状態である。第２の替え刃ＲＢ２の係合アーム７７の下側壁の先端部には、切り欠き部７７ａが設けられている。なお、本実施形態において、第２の替え刃ＲＢ２は、ジレットジャパンインコーポレイテッド社の３枚刃の替え刃である。
【００２０】
第１の替え刃ＲＢ１および第２の替え刃ＲＢ２は、いずれも本体が合成樹脂製であり、全体として適度な可撓性を有する。
【００２１】
図２〜図８に示されるように、第１装着部２ａは、基台部１１の上面１１１から突出して第１の替え刃ＲＢ１の一方の係合溝７３ｂに係合する爪部２１と、基台部１１の側面１１２，１１３から離れた状態で頭部３において突出するように形成された小壁部２２の外側面２２１に設けられ、第１の替え刃ＲＢ１の他方の係合溝７３ａに係合する係合部２３とを有する。
【００２２】
図２および図７で明らかなように、爪部２１は、１つの第１装着部２ａについて、基台部１１の上面１１１の２箇所に突出して設けられている。したがって、基台部１１の上面１１１には、その４箇所に爪部２１が設けられている。
【００２３】
図３、図６〜図８で明らかなように、係合部２３は、小壁部２２の外側面２２１の上端部の近辺に基線ＫＳと平行に設けられた長溝２４によって形成されている。つまり、小壁部２２の外側面２２１の上端部の近辺に設けられた長溝２４によって、長溝２４よりも上端側の部分が係合部２３となっている。
【００２４】
図２〜図９に示されるように、第２装着部２ｂは、第２の替え刃ＲＢ２の係合アーム７７の凹部７８に挿入可能に形成された小壁部２２と、基台部１１の上面１１１のほぼ中央部から突出し、凹部７８に小壁部２２を挿入した状態で第２の替え刃ＲＢ２の本体７６の一方の側縁部７６ａの中央が嵌まり込んで固定するための係止部３５とを有する。
【００２５】
すなわち、基台部１１の上面１１１のほぼ中央部には、係止塔３１が突出して設けられている。図６によく示されるように、係止塔３１は、基線ＫＳに垂直な面による断面がほぼＴ字形であり、天部３２の下側の面が傾斜した傾斜面となっており、この傾斜面によって係止塔３１が形成されている。
【００２６】
また、小壁部２２は、第２の替え刃ＲＢ２の係合アーム７７の凹部７８に余裕を持って挿入可能な形状である。
【００２７】
次に、第１の替え刃ＲＢ１および第２の替え刃ＲＢ２の装着および取り外しの方法について説明する。
【００２８】
まず、ユーザが第１の替え刃ＲＢ１を装着するには、ユーザの片方の手でホルダー１を持ち、他方の手で第１の替え刃ＲＢ１を持ち、図１０に示す状態とする。この状態から、図８に示すように、第１の替え刃ＲＢ１の係合溝７３ａと小壁部２２の係合部２３とを係合させ、かつ、第１の替え刃ＲＢ１の係合溝７３ｂと２つの爪部２１のうちの端部に近い側の爪部２１とを係合させ、その状態で、第１の替え刃ＲＢ１を図の矢印Ｍ１方向にスライド移動させながら、係合溝７３ｂを他方の爪部２１に係合させ、スライド端まで移動させる。
【００２９】
この状態では、第１の替え刃ＲＢ１は、その係合溝７３ａ，ｂが２つの爪部２１および係合部２３と係合し、これによってしっかりと固定される。
【００３０】
なお、この状態において、第１の替え刃ＲＢ１は係止塔３１と接触しないが、第１の替え刃ＲＢ１の外縁部が係止部３５と接触して保持されるようにしてもよい。また、第１の替え刃ＲＢ１の係合溝７３ｂと１つの爪部２１とが係合した状態では、その爪部２１と係合部２３との位置が基線ＫＳの方向に対してずれた位置にあるので、第１の替え刃ＲＢ１の姿勢を容易に変更することができ、したがってこの状態では第１の替え刃ＲＢ１をしっかりと固定した状態とはならない。
【００３１】
２つの第２装着部２ａにそれぞれ第１の替え刃ＲＢ１を装着すると、図１２に示す状態となる。
【００３２】
また、第１の替え刃ＲＢ１を取り外すときは、第１の替え刃ＲＢ１の本体７１をユーザが指で挟み、図１０の矢印Ｍ２方向へスライド移動させて取り外せばよい。
【００３３】
次に、ユーザが第２の替え刃ＲＢ２を装着するには、ユーザの片方の手でホルダー１を持ち、他方の手で第２の替え刃ＲＢ２を持ち、図１１に示す状態とする。この状態から、図９に示すように、第２装着部２ｂに第２の替え刃ＲＢ２を装着した状態とする。この状態では、係合アーム７７に設けられた切り欠き部７７ａの端面が、基台部１１と小壁部２２との間にある頭部３での底部から若干膨らむように形成された膨出面部２５の表面に当接する。
【００３４】
また、小壁部２２の先端部は、係合アーム７７の凹部７８の内周面に当接し、これによって係合アーム７７が図９における右方向へのそれ以上の回転移動が規制された状態となる。この状態において、第２の替え刃ＲＢ２の自由状態では、第２の替え刃ＲＢ２の本体７６の側縁部７６ａが係止塔３１の天部３２と干渉し、そのため側縁部７６ａは係止部３５にまで到達しないのであるが、ユーザが指で本体７６の表面を押さえ、側縁部７６ａを係止部３５に押し込むようにすると、第２の替え刃ＲＢ２の可撓性によって全体が若干撓み、側縁部７６ａが係止部３５に押し込まれ、その状態で係止される。これによって、第２の替え刃ＲＢ２は、第２装着部２ｂにしっかりと固定される。
【００３５】
したがって、２つの第２装着部２ｂにそれぞれ第２の替え刃ＲＢ２を装着すると、図１３に示す状態となる。
【００３６】
また、第２の替え刃ＲＢ２を取り外すときは、第２の替え刃ＲＢ２の本体７６をユーザが指で挟んで外側へ引っ張ることにより、第２の替え刃ＲＢ２の全体が撓んで側縁部７６ａが係止部３５から抜け出す。
【００３７】
上に述べたように、本実施形態のホルダー１によると、２枚刃の第１の替え刃ＲＢ１と３枚刃の第２の替え刃ＲＢ２とを選択的に取り付けて使用することができる。第１の替え刃ＲＢ１および第２の替え刃ＲＢ２をそれぞれ２つずつ取り付けることができるので、長い時間に渡って交換することなく使用できる。また、第１装着部２ａおよび第２装着部２ｂが、それぞれ基線ＫＳを基線ＫＳに対して対称な状態となるように２つずつ設けられているので、２つの第１の替え刃ＲＢ１または２つの第２の替え刃ＲＢ２を取り付けることにより、押しによる剃りと引きによる剃りとを自由に使い分けることができる。
【００３８】
また、第１装着部２ａおよび第２装着部２ｂのいずれか一方に第１の替え刃ＲＢ１を装着し、他方に第２の替え刃ＲＢ２を装着することにより、使い勝手に応じて、または剃りの仕上がり程度に応じて、第１の替え刃ＲＢ１と第２の替え刃ＲＢ２とを自在に使い分けることができる。
【００３９】
また、ユーザにもよるが、第１の替え刃ＲＢ１および第２の替え刃ＲＢ２について、その全体が均等に使われないことがある。つまり、ホルダー１に取り付けられた替え刃ＲＢの先端側がよく使用され、先端側がよく摩耗する。その場合に、そのような替え刃ＲＢを、第１装着部２ａから第２装着部２ｂに、またはこの逆に付け替えることにより、摩耗していない側を使用することができ、替え刃ＲＢの全体を万遍なく効率的に利用することができ、経済的である。
【００４０】
上の実施形態において、第１装着部２ａ、第２装着部２ｂ、頭部３、またはホルダー１の全体または各部の構造、形状、寸法、個数、材質などは、本考案の趣旨に沿って適宜変更することができる。
【図面の簡単な説明】
【００４１】
【図１】本考案にかかるホルダーの全体の平面図である。
【図２】頭部を拡大して示す平面図である。
【図３】頭部を拡大して示す右側面図である。
【図４】ホルダーを拡大して示す正面図である。
【図５】ホルダーを拡大して示す背面図である。
【図６】ホルダーの正面断面図である。
【図７】頭部の斜視図である。
【図８】１つの第１の替え刃を装着した状態を示す正面断面図である。
【図９】１つの第２の替え刃を装着した状態を示す正面断面図である。
【図１０】第１の替え刃を装着するときの操作を説明するための図である。
【図１１】第２の替え刃を装着するときの操作を説明するための図である。
【図１２】２つの第１の替え刃を装着した状態を示す斜視図である。
【図１３】２つの第２の替え刃を装着した状態を示す斜視図である。
【図１４】第１の替え刃の平面図および右側面図である。
【図１５】第２の替え刃の平面図および右側面図である。
【符号の説明】
【００４２】
１  ホルダー
２  装着部
２ａ  第１装着部
２ｂ  第２装着部
３  頭部
４  柄部
１１  基台部
２１  爪部
２２  小壁部
２３  係合部
２４  長溝
３１  係止塔
３５  係止部
ＫＳ  基線
ＲＢ１  第１の替え刃（替え刃、３枚刃の替え刃）
ＲＢ２  第２の替え刃（替え刃、２枚刃の替え刃）
７６  係合溝
７７  係合アーム
７８  凹部
７６ａ  側縁部
【図１】
0003143703.tif 000003
【図２】
0003143703.tif 000004
【図３】
0003143703.tif 000005
【図４】
0003143703.tif 000006
【図５】
0003143703.tif 000007
【図６】
0003143703.tif 000008
【図７】
0003143703.tif 000009
【図８】
0003143703.tif 000010
【図９】
0003143703.tif 000011
【図１０】
0003143703.tif 000012
【図１１】
0003143703.tif 000013
【図１２】
0003143703.tif 000014
【図１３】
0003143703.tif 000015
【図１４】
0003143703.tif 000016
【図１５】
0003143703.tif 000017